(57)【要約】【課題】  良好な風合いを保持し、ウエットティッシュの残り枚数を検知でき、且つ簡易に製造できるウエットティッシュ包装体を提供すること。【解決手段】  収納体１１内に多数枚のウエットティッシュが積層収納されたウエットティッシュ包装体１０であって、ウエットティッシュの底面側から所定枚数目の１又は２以上のシートとして、セルロース繊維を主体として形成されたシートを着色した着色シートを用い、該着色シートをそれ以外のシート１２ａと視覚により識別可能な残り枚数検知用シート１２ｂとなしてある。【選択図】  図１
2005289521.tif 000002
【特許請求の範囲】
【請求項１】
収納体内に多数枚のウエットティッシュが積層収納されたウエットティッシュ包装体において、
上記ウエットティッシュの底面側から所定枚数目の１又は２以上のシートとして着色された合成繊維を含有してなるシートを用い、該シートをそれ以外のシートと視覚により識別可能な残り枚数検知用シートとなしてあることを特徴とするウエットティッシュ包装体。
【発明の詳細な説明】
【技術分野】
【０００１】
本発明は、収納体内に多数枚のウエットティッシュが積層収納されたウエットティッシュ包装体に関し、更に詳しくは、ウエットティッシュの衛生や使用感に悪影響を及ぼすことなく、ウエットティッシュの残り枚数を検知できるウエットティッシュ包装体に関する。
【背景技術】
【０００２】
従来より、収納体内に多数枚のウエットティッシュが積層収納されたウエットティッシュはよく知られている（例えば、特許文献１参照）。
このウエットティッシュ包装体は、そのまま、又はプラスチック製容器に収納体ごと収容し、収納体に形成された取出口からウエットティッシュを一枚ずつ取り出して使用するものである。この様な従来のウエットティッシュ包装体では、ウエットティッシュに含浸された清拭剤や化粧料等の蒸発を回避できるように、収納体は蒸気透過性の低い材料から形成されている。
【０００３】
しかし、収納体を形成するのに適切であり且つ上記透過性の低い材料は通常不透明なものであるため、上述の様な従来のウエットティッシュ包装体では、収納されたウエットティッシュの残り枚数を外部から検知できない欠点がある。
そこで、このような欠点を排除するために、箱入りティッシュペーパー等では、一定の残り枚数の位置に、他のペーパーとは異なる色に着色したティッシュペーパーを配置する技術が採用されている。しかし、この技術をウエットティッシュ包装体に適用してウエットティッシュを着色すると、着色剤が上下のウエットティッシュに移行し易く着色されたシートをその他のシートと明確に区別できない問題を生じる場合があり、また、着色剤が被清拭者に移行して、衛生面に悪影響を及ぼしたり被清拭者に不快感を与える等の問題を生じる場合がある。
【０００４】
【特許文献１】実開昭５８−５５６９４号公報
【発明の開示】
【発明が解決しようとする課題】
【０００５】
従って、本発明の目的は、ウエットティッシュの衛生や使用感に悪影響を及ぼすことなく、ウエットティッシュの残り枚数をはっきりと検知できるウエットティッシュ包装体を提供することにある。
【課題を解決するための手段】
【０００６】
本発明は、収納体内に多数枚のウエットティッシュが積層収納されたウエットティッシュ包装体において、上記ウエットティッシュの底面側から所定枚数目の１又は２以上のシートとして着色された合成繊維を含有してなるシートを用い、該シートをそれ以外のシートと視覚により識別可能な残り枚数検知用シートとなしてあることを特徴とするウエットティッシュ包装体を提供することにより、上記目的を達成したものである。
【発明の効果】
【０００７】
本発明のウエットティッシュ包装体によれば、ウエットティッシュの衛生や使用感に悪影響を及ぼすことなく、ウエットティッシュの残り枚数が検知できる。
【発明を実施するための最良の形態】
【０００８】
以下、本発明のウエットティッシュ包装体の一実施形態を図面を参照しながら具体的に説明する。
図１は、本発明のウエットティッシュ包装体の一実施形態を示す縦断面図である。
【０００９】
本実施形態のウエットティッシュ包装体１０は、図１に示す様に、収納体１１内に多数枚のウエットティッシュ１２が積層収納されたウエットティッシュ包装体であり、これらの各構成については従来の公知技術と同じである。
而して、本実施形態のウエットティッシュ包装体１０では、上記ウエットティッシュの底面側から所定枚数目の１又は２以上のシートとして着色された合成繊維を含有してなるシートを用い、該シートをそれ以外のシート１２ａと視覚により識別可能な残り枚数検知用シート１２ｂとなしてある。
【００１０】
本実施形態について更に詳述すると、上記収納体１１は、アルミ箔の両面にプラスチックラミネート加工を施したフィルムを筒状に形成し、その開口端部を封着して形成したものである。収納体１１の上面には、その中央部が楕円形形状に開口されてウエットティッシュ取り出し用の取出口１３が形成されている。また収納体１１の上面には開閉蓋用ラベル１４が剥離自在に貼付さており、この開閉蓋用ラベル１４によって取出口１３が開閉されるようになっている。
上記ウエットティッシュ１２は、各シートがその上下のシートと噛み合った状態で折り畳まれて、収納体１１の取出口１３からポップアップ式に一枚ずつ取り出し可能に収納体１１に収納されている。
【００１１】
上記それ以外のシート１２ａとしては、コットンや木材パルプの繊維をシート化し、清拭剤を含浸させたもの等、従来より用いられるウエットティッシュを特に制限なく用いることができる。
【００１２】
上記残り枚数検知用シート１２ｂは、着色された合成繊維をそれ以外のシート１２ａと同様の繊維に混合してシート化し、且つ清拭剤を含浸させたものであり、水系中においても該着色が落ちないようになっている。そしてウエットティッシュ１２の残り枚数１０枚目の位置に、それ以外のシート１２ａと同様に折り畳まれた状態で収納されている。
着色された上記合成繊維は、残り枚数検知用シート１２ｂのほぼ全面に万遍なく混合されており、残り枚数検知用シート１２ｂを構成する繊維全部のうち好ましくは５０％以下、より好ましくは０．１〜２０％の割合で混合されている。上記合成繊維としては、ポリエチレンテレフタレート、ポリプロピレン、ポリエチレン、ポリエステル、ナイロン等を用いることができ、ポリエステル等が好ましい。
【００１３】
上述の構成を有する本実施形態のウエットティッシュ包装体１０では、ウエットティッシュ１２を順番に引き出していき、残り枚数が１０枚目になると、残り枚数検知用シート１２ｂが引き出され、目視によりウエットティッシュ１２の残り枚数が検知される。
【００１４】
この様に、本実施形態のウエットティッシュ包装体１０によれば、残り枚数が所定数となると残り枚数検知用シート１２ｂが引き出され、ウエットティッシュ１２の残り枚数が検知でき、新たなウエットティッシュ包装体を用意するための目印とすることができる。
そして、残り枚数検知用シート１２ｂは、予め着色された合成繊維を混合してシート化することにより着色されているので、それ以外のシート１２ａとともに折り畳まれ清拭剤等の液体を含浸させ収納体１１に収納しても、残り枚数検知用シート１２ｂから隣接するそれ以外のシート１２ａや被清拭者への色移りが発生しない。従って、残り枚数検知用シート１２ｂをそれ以外のシート１２ａと明確に区別でき、衛生的に且つ良好な使用感で使用することができる。
【００１５】
本発明は上述した実施形態に限定されるものではなく、本発明の趣旨を逸脱しない限り適宜変更可能である。
例えば、ウエットティッシュのうち残り枚数１０枚目に限らず、１箇所又は２箇所以上の適当な位置のシートを残り枚数検知用シート１２ｂとしてもよい。２箇所以上の位置に残り枚数検知用シート１２ｂを配する場合には、それぞれの残り枚数検知用シート１２ｂは、異なる色に着色された合成繊維を混合したり、同一の着色された合成繊維を異なる割合で混合することによって、互いに区別できるようにしておくことが望ましい。
着色された合成繊維は、残り枚数検知用シート１２ｂがそれ以外のシート１２ａから良好に識別でき且つそれ以外のシート１２ａと同様に良好な風合いを保つためには、好ましくは残り枚数検知用シート１２ｂを構成する繊維中０．１％〜５０％混合されており、より好ましくは０．１％〜２０％混合されている。
【００１６】
尚、本発明のウエットティッシュ包装体の残り枚数検知用シートの製造方法としては、特に限定されるものではないが、図２及び図３に示すような残り枚数検知用シートの製造装置２０，３０を用いて製造することができる。
図２に示す残り枚数検知用シートの製造装置２０について説明すると、本製造装置２０は、ネット状の搬送ベルト２１ａを有するベルトコンベア２１と、該搬送ベルト２１ａ上に繊維ウェブを供給する第１のカード機２２及び第２のカード機２３と、上記搬送ベルト２１ａに供給され搬送される繊維ウェブに向けてジェット水流を噴射してこれらの繊維ウェブを交絡させるノズル２４とを備えている。
この製造装置２０によれば、搬送ベルト２１ａ上に、第１のカード機２２及び第２のカード機２３のうちの一方からそれ以外のシート（従来のウエットティッシュ）１２ａの材料である繊維の繊維ウェブ（以下従来の繊維ウェブ）Ｗが供給され、他方からは着色された合成繊維の繊維ウェブ（以下合成繊維の繊維ウェブ）Ｃが供給され、上記搬送ベルト２１ａ上を搬送される上記従来の繊維ウェブＷ及び上記合成繊維の繊維ウェブＣの混合体にノズル２４からジェット水流が噴射され、上記従来の繊維ウェブＷ及び上記合成繊維の繊維ウェブＣを交絡されシート化されて残り枚数検知用シートが製造される。
【００１７】
図２に示す残り枚数検知用シートの製造装置２０及び残り枚数検知用シートの製造方法では、第２のカード機２３を停止させることによりその他のウエットティッシュ（従来より通常用いられているウエットティッシュ）を製造したり、また、第２のカード機２３を他の着色された合成繊維を供給させるものに替えて、他の色に着色された残り枚数検知用シートを製造することができる利点がある。
【００１８】
図３に示す残り枚数検知用シートの製造装置３０について説明すると、本製造装置３０は、図２の第１のカード機２２と第２のカード機２３に代えて、１基のカード機３１のみを備えている。
この製造装置３０によれば、上記カード機３１から従来の繊維ウェブＷと着色された合成繊維の繊維ウェブＣの両方が供給され、上記搬送ベルト２１ａ上で搬送される従来の繊維ウェブＷと着色された合成繊維の繊維ウェブＣにノズル２４からジェット水流が噴射されて上記従来の繊維ウェブＷと上記合成繊維の繊維ウェブＣが交絡されシート化されて残り枚数検知用シートが製造される。
【図面の簡単な説明】
【００１９】
【図１】本発明のウエットティッシュ包装体の一実施形態を示す縦断面図である。
【図２】本発明のウエットティッシュ包装体の残り枚数検知用シートの製造装置の一例を示す概略構成図である。
【図３】本発明のウエットティッシュ包装体の残り枚数検知用シートの製造装置の他の例を示す概略構成図である。
【符号の説明】
【００２０】
１０ ウエットティッシュ包装体
１１ 収納体
１２ ウエットティッシュ
１２ａ それ以外のシート
１２ｂ 残り枚数検知用シート
１３ 取出口
１４ 開閉蓋用ラベル
【図１】
2005289521.tif 000003
【図２】
2005289521.tif 000004
【図３】
2005289521.tif 000005
【手続補正書】
【提出日】平成17年8月4日(2005.8.4)
【手続補正１】
【補正対象書類名】特許請求の範囲
【補正対象項目名】全文
【補正方法】変更
【補正の内容】
【特許請求の範囲】
【請求項１】
収納体内に多数枚のウエットティッシュが積層収納されたウエットティッシュ包装体において、
上記ウエットティッシュの底面側から所定枚数目の１又は２以上のシートとして着色された合成繊維を含有してなるシートで且つ着色された該合成繊維が供給された後にジェット水流によりシート化されたシートを用い、該シートをそれ以外のシートと視覚により識別可能な残り枚数検知用シートとなしてあることを特徴とするウエットティッシュ包装体。
【請求項２】
収納体内に多数枚のウエットティッシュが積層収納されたウエットティッシュ包装体において、上記ウエットティッシュの底面側から所定枚数目の１又は２以上のシートとして用いられる、着色された合成繊維を含有してなるシートで、該シート以外のシートと視覚により識別可能になしてある残り枚数検知用シートの製造方法であって、
着色された上記合成繊維を供給する工程と、該工程にて供給された該合成繊維にジェット水流を噴射する工程とを含むことを特徴とする残り枚数検知用シートの製造方法。
【手続補正２】
【補正対象書類名】明細書
【補正対象項目名】０００１
【補正方法】変更
【補正の内容】
【０００１】
本発明は、収納体内に多数枚のウエットティッシュが積層収納されたウエットティッシュ包装体に関し、更に詳しくは、ウエットティッシュの衛生や使用感に悪影響を及ぼすことなく、ウエットティッシュの残り枚数を検知できるウエットティッシュ包装体及び残り枚数検知用シートの製造方法に関する。
【手続補正３】
【補正対象書類名】明細書
【補正対象項目名】０００５
【補正方法】変更
【補正の内容】
【０００５】
従って、本発明の目的は、ウエットティッシュの衛生や使用感に悪影響を及ぼすことなく、ウエットティッシュの残り枚数をはっきりと検知できるウエットティッシュ包装体及び残り枚数検知用シートの製造方法を提供することにある。
【手続補正４】
【補正対象書類名】明細書
【補正対象項目名】０００６
【補正方法】変更
【補正の内容】
【０００６】
本発明は、収納体内に多数枚のウエットティッシュが積層収納されたウエットティッシュ包装体において、上記ウエットティッシュの底面側から所定枚数目の１又は２以上のシートとして着色された合成繊維を含有してなるシートで且つ着色された該合成繊維が供給された後にジェット水流によりシート化されたシートを用い、該シートをそれ以外のシートと視覚により識別可能な残り枚数検知用シートとなしてあることを特徴とするウエットティッシュ包装体を提供することにより、上記目的を達成したものである。
また、本発明は、収納体内に多数枚のウエットティッシュが積層収納されたウエットティッシュ包装体において、上記ウエットティッシュの底面側から所定枚数目の１又は２以上のシートとして用いられる、着色された合成繊維を含有してなるシートで、該シート以外のシートと視覚により識別可能になしてある残り枚数検知用シートの製造方法であって、着色された上記合成繊維を供給する工程と、該工程にて供給された該合成繊維にジェット水流を噴射する工程とを含むことを特徴とする残り枚数検知用シートの製造方法を提供することにより、上記目的を達成したものである。
【手続補正５】
【補正対象書類名】明細書
【補正対象項目名】０００９
【補正方法】変更
【補正の内容】
【０００９】
本実施形態のウエットティッシュ包装体１０は、図１に示す様に、収納体１１内に多数枚のウエットティッシュ１２が積層収納されたウエットティッシュ包装体であり、これらの各構成については従来の公知技術と同じである。
而して、本実施形態のウエットティッシュ包装体１０では、上記ウエットティッシュの底面側から所定枚数目の１又は２以上のシートとして着色された合成繊維を含有してなるシートで且つ着色された該合成繊維が供給された後にジェット水流によりシート化されたシートを用い、該シートをそれ以外のシート１２ａと視覚により識別可能な残り枚数検知用シート１２ｂとなしてある。
【手続補正６】
【補正対象書類名】明細書
【補正対象項目名】００１６
【補正方法】変更
【補正の内容】
【００１６】
以下に、上述した本発明のウエットティッシュ包装体で用いられる、本発明の残り枚数検知用シートの製造方法について説明する。
本発明の残り枚数検知用シートは、図２及び図３に示すような残り枚数検知用シートの製造装置２０，３０を用いて製造することができる。
図２に示す残り枚数検知用シートの製造装置２０について説明すると、本製造装置２０は、ネット状の搬送ベルト２１ａを有するベルトコンベア２１と、該搬送ベルト２１ａ上に繊維ウェブを供給する第１のカード機２２及び第２のカード機２３と、上記搬送ベルト２１ａに供給され搬送される繊維ウェブに向けてジェット水流を噴射してこれらの繊維ウェブを交絡させるノズル２４とを備えている。
この製造装置２０によれば、搬送ベルト２１ａ上に、第１のカード機２２及び第２のカード機２３のうちの一方からそれ以外のシート（従来のウエットティッシュ）１２ａの材料である繊維の繊維ウェブ（以下従来の繊維ウェブ）Ｗが供給され、他方からは着色された合成繊維の繊維ウェブ（以下合成繊維の繊維ウェブ）Ｃが供給され、上記搬送ベルト２１ａ上を搬送される上記従来の繊維ウェブＷ及び上記合成繊維の繊維ウェブＣの混合体にノズル２４からジェット水流が噴射され、上記従来の繊維ウェブＷ及び上記合成繊維の繊維ウェブＣを交絡されシート化されて残り枚数検知用シートが製造される。